(57)【要約】【課題】コネクタハウジングから突出した位置でのケーブルの断線を防止することができるケーブルカバーを提供する。【解決手段】コネクタハウジング３１の後端面３１ｂから延在されたケーブル３３を覆うカバー本体１０と、カバー本体１０を軸方向Ｘに沿って貫通する内部空間２０と、を備えている。そして、内部空間２０は、コネクタハウジング３１を収容可能であってカバー本体１０の一端１１に開放した第１収容部２１と、第１収容部２１に連通すると共に、ケーブル３３を収容可能であってカバー本体１０の他端１２に開放した第２収容部２２と、第１収容部２１と第２収容部２２との間に形成され、コネクタハウジング３１の後端面３１ｂに干渉する段差面２３と、を有する構成とした。【選択図】図２
2019033064.tif 000002
【特許請求の範囲】
【請求項１】
コネクタハウジングの後端面から延在されたケーブルを覆うカバー本体と、前記カバー本体を軸方向に貫通する内部空間と、を備え、
前記内部空間は、前記コネクタハウジングを収容可能であって前記カバー本体の一端に開放した第１収容部と、前記第１収容部に連通すると共に、前記ケーブルを収容可能であって前記カバー本体の他端に開放した第２収容部と、前記第１収容部と前記第２収容部との間に形成され、前記コネクタハウジングの後端面に干渉する段差面と、を有する
ことを特徴とするケーブルカバー。
【請求項２】
請求項１に記載されたケーブルカバーにおいて、
前記カバー本体には、前記軸方向に沿って周面を破断し、前記内部空間を外部に連通するスリットが形成されている
ことを特徴とするケーブルカバー。
【請求項３】
請求項１又は請求項２に記載されたケーブルカバーにおいて、
前記カバー本体は、外観形状が生物又はキャラクターを模している
ことを特徴とするケーブルカバー。
【請求項４】
請求項１から請求項３のいずれか一項に記載されたケーブルカバーにおいて、
前記第１収容部は、前記コネクタハウジングの後端面に前記段差面が干渉した状態で、前記カバー本体の一端に形成した開口から前記コネクタハウジングの先端面が突出する大きさに設定され、
前記カバー本体の一端には、前記コネクタハウジングの先端面から突出した端子を接続する外部機器を挿入可能な凹部が形成され、
前記凹部は、前記端子と前記外部機器とを接続した際、前記外部機器の外側面に内側面が接触する
ことを特徴とするケーブルカバー。
【請求項５】
請求項４に記載されたケーブルカバーにおいて、
前記凹部は、前記内側面から突出した突起部を有し、
前記突起部は、前記端子と前記外部機器とを接続した際、前記外部機器の外側面に先端が接触する
ことを特徴とするケーブルカバー。
【発明の詳細な説明】
【技術分野】
【０００１】
本発明は、コネクタハウジングから延びるケーブルを覆うケーブルカバーに関するものである。
【背景技術】
【０００２】
従来、後端面からケーブルが突出し、先端面に端子が形成されたコネクタハウジングを有する電気コネクタが知られている（例えば、特許文献１参照）。
【先行技術文献】
【特許文献】
【０００３】
【特許文献１】特開２０１５−２０１４２０公報
【発明の概要】
【発明が解決しようとする課題】
【０００４】
ところで、従来の電気コネクタでは、ケーブルが突出するコネクタハウジングの後端面にケーブルブッシュが設けられ、このケーブルブッシュによってコネクタハウジングからのケーブル突出部分を覆って保護している。しかしながら、このケーブルブッシュは、ケーブルよりも剛性が高いものの、コネクタハウジングよりも剛性が低く、また、コネクタハウジングの後端面に端部が固定されている。そのため、ケーブルブッシュは、ケーブルの動きに追従して変形してしまい、ケーブルとコネクタハウジングとの境界位置でのケーブルの断線を十分に防止することが難しいという問題がある。
【０００５】
本発明は、上記問題に着目してなされたもので、コネクタハウジングとの境界位置でのケーブルの断線を防止することができるケーブルカバーを提供することを目的とする。
【課題を解決するための手段】
【０００６】
上記目的を達成するため、本発明のケーブルカバーは、コネクタハウジングの後端面から延在されたケーブルを覆うカバー本体と、前記カバー本体を軸方向に沿って貫通する内部空間と、を備えている。
そして、前記内部空間は、前記コネクタハウジングを収容可能であって前記カバー本体の一端面に開放した第１収容部と、前記第１収容部に連通すると共に、前記ケーブルを収容可能であって前記カバー本体の他端面に開放した第２収容部と、前記第１収容部と前記第２収容部との間に形成され、前記コネクタハウジングの後端面に干渉可能な段差面と、を有する。
【発明の効果】
【０００７】
すなわち、本発明では、コネクタハウジングとの境界位置でのケーブルの断線を防止することができる。
【図面の簡単な説明】
【０００８】
【図１】実施例１のケーブルカバーの使用状態の外観を示す斜視図である。
【図２】実施例１のケーブルカバーの使用状態での側面図である。
【図３】実施例１のケーブルカバーの正面図である。
【図４】実施例１のケーブルカバーの背面図である。
【図５】実施例１のケーブルカバーの底面図である。
【図６】図３のＡ−Ａ断面図である。
【図７】実施例１のケーブルカバーを装着する際の第１手順を示す説明図である。
【図８】実施例１のケーブルカバーを装着する際の第２手順を示す説明図である。
【図９】実施例２のケーブルカバーの使用状態での側面図である。
【発明を実施するための形態】
【０００９】
以下、本発明のケーブルカバーを実施するための形態を、図面に示す実施例１及び実施例２に基づいて説明する。
【００１０】
（実施例１）
まず、実施例１におけるケーブルカバー１の構成を図１から図６に基づいて説明する。
実施例１のケーブルカバー１は、電気コネクタ３０のコネクタハウジング３１から延在されたケーブル３３を覆うカバー本体１０と、このカバー本体１０に形成された内部空間２０（図２参照）と、を備えている。
【００１１】
ここで、電気コネクタ３０について説明する。
電気コネクタ３０は、外部機器Ｐ（例えば携帯電話、図２参照）と電源（図示せず）とを接続するために用いられる充電ケーブル（ケーブル３３）の一端に設けられている。この電気コネクタ３０は、絶縁性の合成樹脂によって形成されたコネクタハウジング３１と、端子３２と、を有している。
【００１２】
コネクタハウジング３１は、図示しないプリント回路基板を内蔵し、このプリント回路基板を取り囲む大きさの楕円柱形状を呈している。このコネクタハウジング３１は、楕円形の先端面３１ａから端子３２が突出し、楕円形の後端面３１ｂからケーブル３３が突出している。ここで、先端面３１ａは、端子３２を外部機器Ｐのジャック（不図示）に接続する際、外部機器Ｐに向かい合う面である。一方、後端面３１ｂは、先端面３１ａの反対側に位置する面である。
【００１３】
端子３２は、コネクタハウジング３１の内部でプリント回路基板に接続された導電性金属材によって形成され、ここでは板状の支持片３２ａの表面に固定されている。この端子３２は、コネクタハウジング３１の先端面３１ａの中心位置に形成された貫通孔（不図示）を通って外部に突出している。このときの端子３２の突出方向は、コネクタハウジング３１の軸方向に沿っている。
【００１４】
そして、ケーブル３３は、一端がコネクタハウジング３１の内部でプリント回路基板に接続された導電性金属線によって形成され、表面が絶縁被膜によって覆われている。このケーブル３３は、コネクタハウジング３１の後端面３１ｂの中心位置に形成された貫通孔（不図示）を通って外部に突出し、コネクタハウジング３１の軸方向に沿って延在されている。ここで、ケーブル３３は可撓性を有しており、コネクタハウジング３１の軸方向に対して屈曲可能である。また、ケーブル３３の断面積はコネクタハウジング３１の後端面３１ｂの面積よりも小さい。なお、このケーブル３３の他端には、図示しない他の電気コネクタが設けられている。
【００１５】
さらに、この実施例１では、図２に示すように、コネクタハウジング３１の後端面３１ｂにケーブルブッシュ３４が取り付けられている。ケーブルブッシュ３４は、両端が開放した中空の管材であり、ケーブル３３が貫通している。このケーブルブッシュ３４は、コネクタハウジング３１の後端面３１ｂに形成された貫通孔（不図示）に一端が差し込まれ、ケーブル３３のコネクタハウジング３１との境界位置３５及びこの境界位置３５から所定範囲のケーブル３３を覆っている。このケーブルブッシュ３４は、ケーブル３３よりは硬質であるものの、コネクタハウジング３１よりも高い柔軟性を有する合成樹脂で形成されており、ケーブル３３の動きに追従して変形しながらも、このケーブル３３の境界位置３５の曲り方を緩やかにする。なお、ケーブルブッシュ３４の厚みは、ケーブル３３の断面積に大きな影響を与えない程度とし、ケーブルブッシュ３４に覆われた部分のケーブル断面積と、ケーブルブッシュ３４に覆われていない部分のケーブル断面積はほぼ同じとする。
【００１６】
そして、実施例１のカバー本体１０は、ＡＴＢＣ−ＰＶＣ (Ａｃｅｔｙｌ  ｔｒｉｂｕｔｙｌ  ｃｉｔｒａｔｅ−ｐｏｌｙｖｉｎｙｌ  ｃｈｌｏｒｉｄｅ：非フタル酸系ポリ塩化ビニル)によって形成されており、外観形状がトラ（動物）の全身を模している。そして、軸方向Ｘの一端１１がトラの頭部を模しており、軸方向Ｘの他端１２がトラの臀部を模している。さらに、トラの頭部を模した一端１１には、トラの口を模し、軸方向Ｘに沿ってへこんだ凹部１３が形成されている。また、凹部１３の内側面１３ａには、トラの牙を模した突起部１４が複数（実施例１では２個）形成されている。
【００１７】
さらに、このカバー本体１０には、軸方向Ｘに沿って延びるスリット１５が形成され、このスリット１５を介して内部空間２０が外部に連通している。スリット１５の開口幅１５ａはケーブル３３の外径寸法よりも狭く、図５に示すように、後述する内部空間２０の第１収容部２１及び第２収容部２２の内径寸法よりも狭くなっている。
【００１８】
なお、このスリット１５が形成された位置は、カバー本体１０の外観形状を形成するトラの腹部を模した位置であり、スリット１５は、トラのあごから腹部、臀部に至るまで直線状に延びている。さらに、この実施例１では、スリット１５を挟んで一対の前脚を模した第１突部１６，１６と、一対の後脚を模した第２突部１７，１７とが形成されている。そして、カバー本体１０の外周面は、スリット１５が形成されると共に、第１突部１６，１６及び第２突部１７，１７によって囲まれた領域１８がほぼ平坦な面に形成され、この領域１８を除いた部分が曲面に形成されている。
【００１９】
内部空間２０は、カバー本体１０を軸方向Ｘに沿って貫通しており、カバー本体１０の一端１１に開放した第１開口２０ａと、カバー本体１０の他端１２に開放した第２開口２０ｂと、を有している。そして、この内部空間２０は、図２及び図６に示すように、第１収容部２１と、第２収容部２２と、段差面２３と、を有している。
【００２０】
第１収容部２１は、電気コネクタ３０のコネクタハウジング３１の外径寸法より僅かに大きい内径寸法に設定された断面楕円状の空間であり、コネクタハウジング３１を収容可能になっている。この第１収容部２１は、第１開口２０ａを介してカバー本体１０の一端１１に開放している。
また、第１収容部２１の軸方向Ｘの長さ寸法は、コネクタハウジング３１の後端面３１ｂが段差面２３に干渉した状態で、カバー本体１０の一端１１に形成した第１開口２０ａからコネクタハウジング３１の先端面３１ａが突出する大きさに設定されている。すなわち、図１に示すように、コネクタハウジング３１の端子３２は、カバー本体１０の第１開口２０ａを介して内部空間２０の外へと突出する。
【００２１】
第２収容部２２は、ケーブル３３及びケーブルブッシュ３４の外径寸法より僅かに大きい内径寸法に設定された断面円形状の空間であり、ケーブル３３を収容可能になっている。この第２収容部２２は、第２開口２０ｂを介してカバー本体１０の他端１２に開放している。また、この第２収容部２２は、カバー本体１０の中間部で第１収容部２１と連通している。
【００２２】
段差面２３は、第１収容部２１と第２収容部２２との境界位置に形成され、コネクタハウジング３１の後端面３１ｂに干渉可能となっている。すなわち、この段差面２３は、内部空間２０の内径寸法を、第１収容部２１の内径寸法から第２収容部２２の内径寸法へと縮径することで生じる軸方向Ｘに対して直交する面である。
【００２３】
次に、作用を説明する。
まず、電気コネクタのケーブル断線課題を説明し、続いて、実施例１のケーブルカバー１の作用を、「ケーブル保護作用」、「その他の特徴的作用」に分けて説明する。
【００２４】
［電気コネクタのケーブル断線課題］
電気コネクタ３０では、コネクタハウジング３１の後端面３１ｂからケーブル３３が突出している（図２参照）。ここで、コネクタハウジング３１は合成樹脂製であり、内蔵したプリント回路基板を保護する必要もあり剛性が高く設定されている。一方、ケーブル３３は可撓性を有しており、コネクタハウジング３１の軸方向に対して屈曲することができる。ここで、コネクタハウジング３１の後端面３１ｂに形成され、ケーブル３３が通された貫通孔（不図示）は、通常、ケーブル３３の外周面に対して隙間が生じない開口径に設定されている。
【００２５】
そのため、ケーブル３３が変形した際、コネクタハウジング３１の後端面３１ｂとの境界位置３５が局部的に屈曲してしまい、ケーブル３３の境界位置３５で断線することがある。そこで、コネクタハウジング３１の後端面３１ｂにケーブルブッシュ３４を取り付け、このケーブルブッシュ３４によってケーブル３３の境界位置３５を覆っている。
【００２６】
しかしながら、ケーブルブッシュ３４は、コネクタハウジング３１に取り付けられた一端がこのコネクタハウジング３１の内部に差し込まれると共に、ケーブル３３の動きに追従して変形する。そのため、ケーブルブッシュ３４では、ケーブル３３の境界位置３５の曲り方を緩やかにすることはできるものの、この境界位置３５の屈曲を規制することは難しい。これにより、ケーブル３３の境界位置３５が繰り返し屈曲することで、ケーブルブッシュ３４内でケーブル３３の断線が生じるおそれがある。
【００２７】
［ケーブル保護作用］
実施例１のケーブルカバー１を電気コネクタ３０に装着するには、まず、カバー本体１０の周方向の向きを調整し、図７に示すように、スリット１５が形成された領域１８を上方に向ける。
【００２８】
領域１８を上方に向けたら、次に、カバー本体１０の一端１１を軸方向Ｘの前方に向けた上、スリット１５を幅方向に押し広げる。そして、コネクタハウジング３１の先端面３１ａを軸方向Ｘの前方に向けてから、ケーブル３３をスリット１５に沿わせ、このスリット１５内に押し込む。これにより、ケーブル３３は、スリット１５を介してカバー本体１０の内部空間２０に嵌め込まれる。このとき、コネクタハウジング３１がカバー本体１０と干渉しないようにする。また、ケーブル３３は、外径寸法がコネクタハウジング３１の外径寸法よりも小さいため、第１収容部２１に挿入可能である。
【００２９】
そして、図７において二点鎖線で示すように、ケーブル３３を内部空間２０に嵌め込んだら、図８に示すように、ケーブル３３を軸方向Ｘの後方に引っ張り、コネクタハウジング３１を内部空間２０の第１収容部２１内に引き入れる。このとき、ケーブル３３の引っ張り長さを調整し、コネクタハウジング３１の後端面３１ｂを内部空間２０の段差面２３に干渉させる。
【００３０】
これにより、図２に示すように、内部空間２０内に、コネクタハウジング３１とケーブル３３との境界位置３５を収容し、ケーブルカバー１によってこの境界位置３５を挟んでコネクタハウジング３１とケーブル３３とを一体的に覆うことができる。また、コネクタハウジング３１の後端面３１ｂが、内部空間２０の段差面２３に干渉するので、ケーブル３３が変形したときにコネクタハウジング３１がぐらついたり、傾いたりすることを防止できる。
よって、ケーブル３３が変形しても、コネクタハウジング３１の後端面３１ｂとの境界位置３５でのケーブル３３の局部的な曲りを規制することができて、コネクタハウジング３１から突出した位置でのケーブル３３の断線を防止することができる。
【００３１】
なお、カバー本体１０の他端１２に形成された第２開口２０ｂは、ケーブル３３の外径寸法よりも僅かに大きい内径寸法に設定され、第２開口２０ｂの周縁とケーブル３３の外周面との間に隙間が生じている。そのため、この第２開口２０ｂでは、ケーブル３３が変形したときのケーブル３３の動きを隙間分だけ許容できる。これにより、ケーブル３３の局部的な変形を抑制し、ケーブル断線の発生を防止することができる。
【００３２】
［その他の特徴的作用］
実施例１のケーブルカバー１のカバー本体１０には、軸方向Ｘに沿って延びるスリット１５が形成されている。そのため、図７に示すように、内部空間２０内にケーブル３３を嵌め込む際、ケーブル３３をスリット１５に沿わせてから、このスリット１５内に押し込む。そして、ケーブル３３を引っ張り、コネクタハウジング３１を内部空間２０の第１収容部２１内に引き入れてケーブルカバー１を電気コネクタ３０に装着する（図８参照）。
これにより、電気コネクタ３０に対してケーブルカバー１のカバー本体１０を容易に装着することができる。
【００３３】
また、実施例１のケーブルカバー１では、ケーブル３３を引っ張ることで、コネクタハウジング３１を第１収容部２１内に引き入れて装着する。そのため、コネクタハウジング３１の後端面３１ｂを段差面２３に対して確実に接触させることができ、内部空間２０内でのコネクタハウジング３１のがたつきを適切に抑えることができる。
【００３４】
そして、この実施例１のケーブルカバー１は、カバー本体１０の外観形状がトラ（動物）の全身を模している。そのため、カバー本体１０の見た目に可愛さや面白さを付加することができ、外観品質の向上を図ることができる。
【００３５】
また、第１収容部２１の軸方向Ｘの長さ寸法が、第１開口２０ａを介してコネクタハウジング３１の先端面３１ａが突出する大きさに設定されている。そのため、カバー本体１０を電気コネクタ３０に装着したまま、端子３２を外部機器Ｐに接続することができる。そのため、図２に示すように、ケーブルカバー１を装着した電気コネクタ３０を外部機器Ｐに接続すると、ケーブルカバー１が外部機器Ｐに近接し、あたかも外部機器Ｐにトラが噛みついているように見せることができる。そのため、電気コネクタ３０の見た目にも可愛さや面白さを付加することができる。
【００３６】
また、カバー本体１０の見た目に可愛さ等が付加されることで、ケーブルカバー１を電気コネクタ３０に装着せず、ケーブルカバー１の単体でインテリアとしても活用することが可能となる。
【００３７】
さらに、実施例１では、カバー本体１０の外周面のうち、スリット１５が形成されると共に、第１突部１６，１６及び第２突部１７，１７によって囲まれた領域１８がほぼ平坦な面に形成されている。そのため、このカバー本体１０を机上等の平坦面に載置した際転がりにくくなり、ケーブル３３のねじれや撓みを抑制することができる。
【００３８】
次に、効果を説明する。
実施例１のケーブルカバー１にあっては、下記に列挙する効果を得ることができる。
【００３９】
(1) コネクタハウジング３１の後端面３１ｂから延在されたケーブル３３を覆うカバー本体１０と、前記カバー本体１０を軸方向Ｘに沿って貫通する内部空間２０と、を備え、
前記内部空間２０は、前記コネクタハウジング３１を収容可能であって前記カバー本体１０の一端１１に開放した第１収容部２１と、前記第１収容部２１に連通すると共に、前記ケーブル３３を収容可能であって前記カバー本体１０の他端１２に開放した第２収容部２２と、前記第１収容部２１と前記第２収容部２２との間に形成され、前記コネクタハウジング３１の後端面３１ｂに干渉する段差面２３と、を有する構成とした。
これにより、コネクタハウジング３１から突出した位置でのケーブル３３の断線を防止することができる。
【００４０】
(2) 前記カバー本体１０には、前記軸方向Ｘに沿って周面を破断し、前記内部空間２０を外部に連通するスリット１５が形成されている構成とした。
これにより、(1)の効果に加え、電気コネクタ３０に対してカバー本体１０を容易に装着することができる。
【００４１】
(3) 前記カバー本体１０は、外観形状が動物（トラ）を模している構成とした。
これにより、(1)又は(2)の効果に加え、カバー本体１０の見た目に可愛さや面白さを付加することができ、外観品質の向上を図ることができる。
【００４２】
（実施例２）
実施例２のケーブルカバー１Ａは、カバー本体４０の一端４１に形成した凹部４３の内側面４３ａが、外部機器Ｐの外側面αに接触する例である。
【００４３】
まず、構成を説明する。なお、実施例１と同等の構成については、実施例１と同一の符号を付し、詳細な説明を省略する。
【００４４】
実施例２のケーブルカバー１Ａでは、図９に示すように、カバー本体４０と、このカバー本体４０を軸方向Ｘに沿って貫通する内部空間２０と、を備えている。そして、この実施例２のカバー本体４０は、外観形状がトラ（動物）の全身を模し、トラの頭部を模した一端４１には、トラの口を模して軸方向Ｘに沿ってへこんだ凹部４３が形成されている。なお、カバー本体４０の他端４２は、実施例１と同様にトラの臀部を模している。
【００４５】
そして、実施例２の凹部４３は、ケーブルカバー１Ａを装着した電気コネクタ３０の端子３２を外部機器Ｐに接続した際、この外部機器Ｐの一部が挿入される。さらに、この実施例２では、電気コネクタ３０の端子３２を外部機器Ｐに接続した際、凹部４３の内側面４３ａが外部機器Ｐの外側面αに接触する。
【００４６】
また、実施例２においても、凹部４３の内側面４３ａから突出する複数（実施例２では２個）の突起部４４が形成されている。ここで、突起部４４の突出長さは、端子３２と外部機器Ｐとを接続した際、外部機器Ｐの外側面αに先端４４ａが接触する長さに設定されている。
【００４７】
なお、実施例２の内部空間２０は、カバー本体４０を軸方向Ｘに貫通すると共に、電気コネクタ３０のコネクタハウジング３１を収容可能な第１収容部２１と、ケーブル３３を収容可能な第２収容部２２と、第１収容部２１と第２収容部２２の間に形成された段差面２３と、を有している。そして、第１収容部２１の軸方向Ｘの長さ寸法は、コネクタハウジング３１の後端面３１ｂが段差面２３に干渉した状態で、カバー本体４０の一端４１に形成した第１開口４０ａからコネクタハウジング３１の先端面３１ａが突出する大きさに設定されている。
【００４８】
次に、作用を説明する。
実施例２のケーブルカバー１Ａでは、カバー本体４０を電気コネクタ３０に装着した際、図９に示すように、内部空間２０の第１収容部２１にコネクタハウジング３１が収容され、第２収容部２２にケーブル３３が収容される。さらに、段差面２３には、コネクタハウジング３１の後端面３１ｂが干渉する。
【００４９】
そして、ケーブルカバー１Ａを電気コネクタ３０に装着した状態で、端子３２を外部機器Ｐに接続すると、カバー本体４０の一端４１に形成した凹部４３に外部機器Ｐの一部が挿入される。さらに、この外部機器Ｐは、挿入された部分の外側面αに凹部４３の内側面４３ａが接触する。また、凹部４３の内側面４３ａから突出した複数の突起部４４は、先端４４ａが、凹部４３内に挿入された外部機器Ｐの外側面αに接触する。
【００５０】
これにより、電気コネクタ３０の端子３２を外部機器Ｐに接続したとき、カバー本体４０が外部機器Ｐと干渉することになる。よって、ケーブルカバー１Ａのカバー本体４０を外部機器Ｐに対して安定させることができ、電気コネクタ３０が外部機器Ｐから外れてしまうことを抑制できる。
【００５１】
さらに、この実施例２では、外部機器Ｐが挿入される凹部４３から突起部４４が突出し、この突起部４４の先端４４ａが外部機器Ｐの外側面αに接触する。そのため、外部機器Ｐの外側面αに対して凹部４３を点接触にて接触させることができ、カバー本体４０を外部機器Ｐに対してさらに安定させることができる。
【００５２】
しかも、この実施例２では、凹部４３の内側面４３ａのうち、外部機器Ｐの外側面αに接触する接触領域と、複数の突起部４４が形成された突起形成領域とが、外部機器Ｐの挿入空間を介して対向している。そのため、凹部４３内に外部機器Ｐが挿入された際、内側面４３ａと突起部４４との間に外部機器Ｐを挟み込むことができる。
これにより、外部機器Ｐの外側面αのうち、対向する二か所を凹部４３の内側面４３ａに接触させることが可能になり、さらにカバー本体４０を外部機器Ｐに対して安定させることができる。
【００５３】
すなわち、実施例２のケーブルカバー１Ａにあっては、下記に列挙する効果を得ることができる。
【００５４】
(4) 前記第１収容部２１は、前記コネクタハウジング３１の後端面３１ｂに前記段差面２３が干渉した状態で、前記カバー本体４０の一端４１に形成した開口（第１開口４０ａ）から前記コネクタハウジング３１の先端面３１ａが突出する大きさに設定され、
前記カバー本体４０の一端４１には、前記コネクタハウジング３１の先端面３１ａから突出した端子３２を接続する外部機器Ｐを挿入可能な凹部４３が形成され、
前記凹部４３は、前記端子３２と前記外部機器Ｐとを接続した際、前記外部機器Ｐの外側面αに内側面４３ａが接触する構成とした。
これにより、カバー本体４０と外部機器Ｐとが干渉し、カバー本体４０を外部機器Ｐに対して安定させることができる。
【００５５】
(5) 前記凹部４３は、前記内側面４３ａから突出した突起部４４を有し、
前記突起部４４は、前記端子３２と前記外部機器Ｐとを接続した際、前記外部機器Ｐの外側面αに先端４４ａが接触する構成とした。
これにより、外部機器Ｐの外側面αに対して凹部４３を点接触にて接触させることができ、カバー本体４０を外部機器Ｐに対してさらに安定させることができる。
【００５６】
以上、本発明のケーブルカバーを実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【００５７】
実施例１及び実施例２では、カバー本体１０，４０の外観形状がトラの全身を模した例を示したがこれに限らない。カバー本体の外観形状は、トラ以外の動物（例えば、犬や猫、熊等）であったり、爬虫類、海洋生物、昆虫、さらに植物等の生物の外観（見た目）を模したものであってもよい。さらに、小説や漫画、アニメ、映画、ゲーム等の登場人物や動物等のキャラクターや、実際に存在する或いは存在した人物の外観（見た目）を模してもよい。そして、カバー本体の外観形状がそれらの全身を模していなくてもよく、例えば頭部や手等を部分的に模したものであってもよい。さらに、カバー本体１０，４０の外観形状を、単なる角柱形や円柱形等としてもよい。
【００５８】
また、実施例１では、ケーブルカバー１をＡＴＢＣ−ＰＶＣにて形成した例を示したが、これに限らない。ケーブル３３の変形を規制する剛性を有する材質であれば特に限定されない。なお、摩擦係数の高い材質によってケーブルカバー１を形成した場合では、このケーブルカバー１を机上等で滑りにくくすることができる。そのため、ケーブルカバー１がストッパーになり、電気コネクタ３０に接続した外部機器Ｐ（例えば携帯電話、図２参照）が机上から落下することを防止できる。
【００５９】
また、実施例１及び実施例２では、突起部１４，４４がいずれも２個形成された例を示したが、これに限らない。一つ以上の突起部を形成し、その先端を外部機器Ｐの外側面αに接触させることで、外部機器Ｐの外側面αに対して凹部４３を点接触にて接触させることができ、カバー本体を外部機器Ｐに対してさらに安定させることができる。
【００６０】
また、電気コネクタ３０が、外部機器Ｐと電源（図示せず）とを接続するために用いられる充電ケーブルの一端に設けられた例を示したが、これに限らない。例えば、パソコン等の電子機器とプリンター等の電子機器とを接続するケーブルの一端に設けられたＵＳＢ端子等であったり、商用電源に接続するプラグであったりしてもよい。
【００６１】
さらに、実施例１では、カバー本体１０に軸方向Ｘに延びるスリット１５を形成した例を示したが、必ずしもスリット１５を形成しなくてもよい。なお、スリット１５を形成したときには、このスリット１５を介してケーブル３３を内部空間２０に収容可能とする必要がある。そのため、実施例１に示すように、スリット１５の開口幅１５ａをケーブル３３の外径寸法よりも狭くする場合では、スリット３３の剛性を、ケーブル３３の変形を規制しつつ、スリット１５の開口幅１５ａを押し広げ可能な程度に設定する。また、スリット１５の開口幅１５ａを、ケーブル３３の外径寸法よりも大きく、且つ、コネクタハウジング３１の外径寸法よりも小さい大きさに設定してもよい。
【符号の説明】
【００６２】
１  ケーブルカバー
１０  カバー本体
１１  一端
１２  他端
１３  凹部
１４  突起部
１５  スリット
２０  内部空間
２０ａ  第１開口
２０ｂ  第２開口
２１  第１収容部
２２  第２収容部
２３  段差面
３０  電気コネクタ
３１  コネクタハウジング
３１ａ  先端面
３１ｂ  後端面
３２  端子
３３  ケーブル
３４  ケーブルブッシュ
３５  境界位置
【図１】
2019033064.tif 000003
【図２】
2019033064.tif 000004
【図３】
2019033064.tif 000005
【図４】
2019033064.tif 000006
【図５】
2019033064.tif 000007
【図６】
2019033064.tif 000008
【図７】
2019033064.tif 000009
【図８】
2019033064.tif 000010
【図９】
2019033064.tif 000011